(57)【要約】【課題】  浸水災害が予想される際において、非難時間等を侵食することなくごく短時間内に家屋等への浸水を実効的に阻止することができる浸水防止工法を提供する。【解決手段】  家屋２０等への水害による予想される浸水水位Ｄ以下の部分を可撓性の浸水防止シート１０によって浸水防止領域を取り囲むように配する。浸水防止シート１０は、粘着テープなどは必ずしも必要なく上端部のみを浸水防止領域に簡単に添着すれば足りる。また、浸水防止シート１０の下端部は、その一定幅を基礎地盤に沿わせて水平姿勢になるように折り曲げておく。可撓性の浸水防止シート１０は、家屋等内に流入しようとする水Ｗの水圧Ｐによって家屋等の浸水防止領域に張り付き浸水防止効果が発揮される。【選択図】  図１
2013151856.tif 000002
【特許請求の範囲】
【請求項１】
洪水などの浸水があったときに家屋の外壁、シャッター、ドア・扉や玄関などの家屋の浸水防止領域に配される浸水防止シートを使用して、家屋等の外壁、シャッター、ドア・扉や玄関などの隙間を押さえるスペーサである固定手段、通風口等の開口部に配される盲板（嵌合部材）である固定手段、又は、シャッターなどの下方側を押さえる押さえ部材である固定手段を介して家屋等の浸水防止領域に沿わせることを特徴とする家屋等への浸水防止工法。
【請求項２】
前記浸水防止シートは、透明な可撓性のものであり、ロール状に巻き回されており、このロール状の浸水防止シートを引き出しながら家屋等の外壁、シャッター、ドア・扉や玄関など浸水防止領域に沿わせることを特徴とする請求項１記載の家屋等への浸水防止工法。
【請求項３】
前記浸水防止シートに粘着手段又は接着手段が設けられ、家屋等の外壁、シャッター、ドア・扉や玄関や、家屋等の外周に配される外壁、ブロック、又は柱と接着させることを特徴とする請求項１又は２に記載の家屋等への浸水防止工法。
【請求項４】
家屋等のドア・扉やシャッターを中心として前記浸水防止シートを配して、その左右の外壁、ブロック、又は柱に及ぶように配することを特徴とする請求項１ないし３のいずれか１に記載の家屋等への浸水防止工法。
【発明の詳細な説明】
【技術分野】
【０００１】
本発明は、台風予報、大雨洪水警報や津波警報、河川の決壊警報等に際して、専門業者等に依存することなく居合わせの家人において短時間内に施工完了することができるとともに、それにもかかわらず、現実的に高い浸水防止効果が得られる家屋等への浸水防止工法、および、その浸水防止工法に使用する浸水防止シートに関する。
【背景技術】
【０００２】
予報技術の進歩および予報単位地域の細分化等によって、今日における気象関連予報の的中精度が格段に向上している。このことは、単純に非難に奔走するばかりでなく、予想される災害に対する対応策を講じる時間的余裕が得られるということでもある。
【０００３】
家屋等の倒壊または流失のような家屋等の存否自体が問題となる規模の災害が予想される場合においては、個人的な対応策の余地がなく、早急に指定の避難場所に避難すべきである。しかし、このような重大な災害の頻度は低い。水害で最も多く、かつ現実に被害の多いのが床下浸水、または床上浸水程度の災害である。このような水害時における被害の特徴は、人命に及ぶような場合は少なく、家財が泥水に浸かって使用不能となり、当面の日常生活に支障を来たすという被害が大勢を占める。
【０００４】
例えば、強風による災害が時間余裕を持って予報されるような場合においては、不安定な建具の固定や、飛散し易い物品の固定、倒壊し易い物品の先倒し等の対応策をとることができる。しかし、浸水災害が時間的な余裕を持って予報されたような場合に、一般家庭においてはどのような対応策をとり得るであろうか。
【０００５】
従来、特殊な物質を扱う工場や、避難場所に指定されるような公共施設においては、浸水防止対策として水防シャッターまたは水防堰を備える例や（下記、特許文献２参照）、土嚢を備蓄する例がある。また、特殊なユニット工法やパネル工法による家屋等の新築に際しては、単位ユニット全体を防水シートで被覆する例や（下記、特許文献１参照）、隣接するパネル間で表面の防水シートを重ね合わせるというような提案例（下記、特許文献３参照）が見られる。
【先行技術文献】
【特許文献】
【０００６】
【特許文献１】特開平９−２２８４９５号公報
【特許文献２】特開２００３−３１４１７３号公報
【特許文献３】特開２０１１−９９２２６号公報
【発明の概要】
【発明が解決しようとする課題】
【０００７】
上記従来の提案におけるような浸水防止対策は、その主張に係る創意工夫された部分に関しては、十分な浸水防止機能を発揮することができると考えられる。しかし、水害に際して浸水が問題になるのは、コンクリート基礎に設けられた通風口、窓枠開口、玄関開口等を含めた家屋等の全体構造について問題になるのであり、局所的な浸水防止性能が問題になる訳でない。例えば、水防シャッターまたは水防堰を備える場合においても、水防シャッター等で家屋等の全体を囲い込まない限り、家屋等の浸水防止領域周りの他の部分の浸水防止対策が問題になる。また、互いに連結されるパネル間における浸水防止性能が十分であるとしても、そのような性能がパネルと別部材との連結部分についても得られるというものではない。いずれにしても、家屋等の新築を条件とする浸水防止対策については、長期的な視点から時間をかけて完成度を高めながら普及を図るしかない。
【０００８】
なお、窓枠開口や玄関開口に関して、建て付けられている引き戸や扉を閉じておけば浸水の問題ないと考えるのは、現実の浸水被害状況に照らしても大きな誤りである。例えば、窓枠開口に建て付けられている引き戸は、１対の戸車を介して窓枠レールに嵌め込まれており、１対の戸車以外の部分は、窓枠レールから浮いている。窓枠レールには、ラビリンス構造が採用され、風の直接的な吹き抜けについては防止されるようになっているが、浸水防止機能には乏しい。玄関扉についても、そのヒンジ取付け側には、ヒンジを円滑に作動させるための必要最低限の間隙が設定されており、浸水を完全に防止することは困難である。このことは、いわゆる防火扉や水防扉とされるものの場合には、普通扉のようなヒンジによる煽り動作に加えて、扉板を平行移動させてシール付きの戸枠に密着させる複雑な構成が採用されることからも明らかである。
【０００９】
すなわち一般家庭レベルでの浸水被害に対する有効な対応策は、皆無であるといっても過言ではない。また、わが国において伝統的に主流を占める木造軸組み工法による家屋は、水密化が困難であって水害に対する抵抗力に乏しい。一般家庭においては、浸水に備えて貴重品や水濡れによって使用不能となるような物品を２階に運搬する等、浸水を阻止するのではなく浸水する事態を容認した上での被害削減策を講ずる他ない現状であるといえる。
【００１０】
本発明は、以下の条件を満たすことを課題として、大雨洪水警報等に際して、既往の家屋等に対して、工事業者以外の人員においても短時間内に施工することができる家屋等への浸水防止工法、および、その浸水防止工法に好適に使用することができる浸水防止シートを提供することを目的とする。なお、本発明の説明において「家屋等」とは、住居用の一般家屋のほかに、集合住宅、車庫、倉庫、蔵、工場、店舗、その他、浸水被害から保護する価値を有する建造物を含む趣旨である。
【００１１】
上記目的を達成するために解決すべき課題としては、本発明の浸水防止工法に使用する部材が一般家庭に備蓄しておける物であることの条件を満たすことが必要である。これは、緊急事態に際して必要部材を調達する時間的余裕がないこと、また、浸水災害は、特定地域の多数の家屋等に対する同時多発的脅威であり、品不足によって必要部材が調達不能となることが懸念されるからである。
【００１２】
特定の専門業者でなければ施工できないような工事内容を伴わないことが必要である。換言すれば、居合わせの家人においても短時間内に簡単に施工することができる工事内容であることの条件を満たすこと。これは、施工後に避難する場合の非難時間が侵食されないために必要であるともに、同時多発的な脅威に対して特定の業者に多数件の施工依頼が集中した場合、施工が間に合わなくなる事態に至ることが容易に想定されるからである。
【００１３】
現実の浸水防止効果が確実に得られることの条件を満たすことが必要である。これは、本発明の本質的要件であり、外見的効果を重視した実効を伴わない形式的な工法を自ら戒める条件である。
【００１４】
家屋等に対する浸水の危険が去った後は、家屋等を簡単に原状に復帰させることができることの条件を満たすことが必要である。家屋等は、竣工事における状態において所定の住環状等を提供できるように設計されており、したがって、浸水防止工事状態をそのまま放置することは、耐用年数を含め家屋等の本来の諸性能を維持する上で支障をきたす恐れがあるからであり、また、原状に復帰するのに過分の費用を要さないようにするためである。
【００１５】
そこで本発明の目的は、素人であっても簡単且つ避難時間を侵食することのない短時間内に施工完了することができ、そのような簡単な工事内容にもかかわらず、現実に顕著な浸水防止効果が得られ、浸水の危険が去った後においては、家屋等を簡単に原状に復帰させることができる浸水防止工法、および、一般家庭においても格別の不利不便を負担することなく備蓄しておくことができる家屋等への浸水防止工法を提供することにある。
【課題を解決するための手段】
【００１６】
本発明の家屋等への浸水防止工法は、洪水などの浸水があったときに家屋の外壁、シャッター、ドア・扉や玄関などの家屋の浸水防止領域に配される浸水防止シートを使用して、家屋等の外壁、シャッター、ドア・扉や玄関などの隙間を押さえるスペーサである固定手段、通風口等の開口部に配される盲板（嵌合部材）である固定手段、又は、シャッターなどの下方側を押さえる押さえ部材である固定手段を介して家屋等の浸水防止領域に沿わせることを特徴とする。そして、前記浸水防止シートは、透明な可撓性のものであり、ロール状に巻き回されており、このロール状の浸水防止シートを引き出しながら家屋等の外壁、シャッター、ドア・扉や玄関など浸水防止領域に沿わせることを特徴とする。なお、本明細書において、「添着」とは、添えて付けることで、粘着手段又は接着手段等を使用せずとも良いものと定義する。例えば、家屋の外周に巻き回すようにして添着させたり、洪水や雨水などの浸水を利用してシャッターに倣わせたりして添着させることができる。また、家屋等の外壁、シャッター、ドア・扉や玄関などの隙間を押さえるスペーサである固定手段、通風口等の開口部に配される盲板（嵌合部材）である固定手段、又は、シャッターなどの下方側を押さえる押さえ部材である固定手段を介して家屋等の浸水防止領域に沿わせることができる。他方、粘着手段又は接着手段は、粘着剤、接着剤、面ファスナ等を使用するものとして、定義する。
【００１７】
また、前記浸水防止シートに粘着手段又は接着手段が設けられ、家屋等の外壁、シャッター、ドア・扉や玄関や、家屋等の外周に配される外壁、ブロック、又は柱と接着させることを特徴とする。ここで、浸水防止シートの所定全幅の残余部分を家屋等の浸水防止領域に沿わせて立ち上げ、立ち上げた浸水防止シートの上端縁部を粘着テープによって家屋等の浸水防止領域に固定した後、浸水防止シートの上端縁部の全長または要所で粘着テープを併用することが好ましい。
【００１８】
上記解決手段において最も重要な点は、水の浸入を防止するための浸水防止シートを家屋等に侵入しようとする水の水圧によって家屋等の浸水防止領域に密着させるという、いわば通常の浸水防止手段にとっては脅威となる水圧を逆手に取った考え方を採用している。このことによって、家屋等の外周に壁の凹凸やトタンの波形等があってもこれらの障壁に浸水防止シートが倣うことになり、家屋等の浸水防止領域に浸水防止シートを水密に添着する作業を極めて容易なものとするとともに、浸水防止効果を極めて確実なものとし、水圧が失われた後における浸水防止シートの除去作業を極めて容易なものとなる。
【００１９】
ここで、上記解決手段中、「想定される浸水水位」とは、その地域における過去の水害状況や現在における治水対策状況等の分析に基づいて、浸水災害が発生したと仮定した場合において客観的に想定される最大水位を言う。浸水防止シートについて「所定全幅」とは、一定幅で連続的に形成された浸水防止シートをロール巻きにした場合の幅方向についての全長を言う。浸水防止シートについて「不特定長さ」とは、個々の家屋等ごとにその家屋等の浸水防止領域の長さが異なるが、そのいずれの家屋等の長さ（周囲長さ）にも対応できる長さを表現しており、この長さについては、特に限定する必要がないとの意味合いを表現している。また、浸水防止シートの「所定全幅のうちの所定幅」とは、所定全幅の範囲内において一定の幅を設定した場合の幅寸法をいう。
【００２０】
本発明の家屋等への浸水防止工法は、家屋等の浸水防止領域に通風口等の開口部が存在する場合には、この開口部に盲板を施工した後、家屋等の浸水防止領域に浸水防止シートを添着する工法とすることができる。
【００２１】
本解決手段は、浸水防止シートに対する強度要求を低減し、これによって異物の表面形状に対して密着性に富む薄手の軟質浸水防止シート（可撓性・柔軟性を有する浸水防止シート）の採用を可能とするものである。つまり、開口部を単に浸水防止シートによって被覆した場合には、水圧によって浸水防止シートが開口部内に押し込まれ、結果的に引張り強度限度を超えるに至って破断する恐れがある。このような事態に対応するためには、より高強度の浸水防止シートを採用する対応策と、開口部を応急的に塞ぐ対応策とがある。本発明では、浸水防止シートの使用量が多量であって高価な素材を使用した場合にはコスト負担が問題になること、浸水防止シートの選択肢が限定的になること、家屋等の浸水防止領域に対する浸水防止シートの密着性が低下する恐れがあること等を勘案して開口部に盲板（嵌合部材）を施工し、浸水防止シートに対する強度が強いものである必要がないようにする。
【００２２】
本発明の家屋等への浸水防止工法は、家屋等の玄関扉として、想定される浸水水位を超える高さ位置に、玄関扉が開かなくなった際において人の出入りを可能とする緊急時開口部を備える玄関扉を予め設置した後、設置した玄関扉を含む家屋等の浸水防止領域に浸水防止シートを添着するものである。
【００２３】
本解決手段は、本発明の浸水防止工法を施工した家屋等に人が出入りする場合の便宜を図る趣旨である。本発明の浸水防止工法を施工することによって多くの場合玄関扉を開閉することができなくなる。浸水災害時に家屋等に出入りするやむを得ない必要性がある場合は、玄関口以外の外窓から出入りすることができる。外窓が全く存在しない家屋というものは想定し難いが、外窓が存在しても、出入りすることができないような状況にある場合は想定される。そこで、このような家屋等については、玄関扉を開く操作を要することなく人の出入りが可能である緊急時開口部を備える玄関扉を予め設置工事しておくことで対応する。
【００２４】
本発明の家屋等への浸水防止工法は、家屋等の玄関扉を堰板嵌込み方式の開口部を備える玄関保護囲いによって玄関扉の開閉操作可能に取り囲む玄関保護囲い工事を実地した後、玄関保護囲いを含む家屋等に浸水防止領域に浸水防止シートを添着する工法とすることができる。
【００２５】
本解決手段は、上記解決手段と同様に、本発明の浸水防止工法を施工した家屋等に出入りする場合の便宜を提供することにある。例えば、玄関部分を白木造りとした和風建築物においては、白木部分の雨濡れや汚防止のために玄関部分にアルミサッシ製の玄関保護囲いを設け、いわば、二重玄関のような構造にする例が見受けられる。本解決手段は、このような玄関保護囲いに堰板嵌込み方式の開口部を設けておき、浸水災害の恐れがある際に、人の通行可能な高さにまで堰板を嵌め込んだ後、玄関保護囲いを含む家屋等の浸水防止領域に浸水防止シートを施工することによって、施工中における人の出入りを可能としている。
【００２６】
本発明の家屋等への浸水防止工法に好適に使用することができる浸水防止シートは、地域状況に応じて想定される浸水水位を超える所定全幅を有する不特定長さの可撓性の浸水防止シートの所定全幅の一端側の端縁部に不特定長さの全長にわたって感圧性粘着剤による所定幅の粘着層が形成されていることを特徴とする。
【００２７】
本解決手段は、本発明の家屋等への浸水防止工法をより迅速に施工完了することができるように、必要な工事内容をなす作業の一部分を予め済ませた状態の浸水防止シートを提供する。多くの場合にそうであると思われるが、例えば、粘着テープを使用して家屋等の浸水防止領域に浸水防止シートを添着する作業を一人で実施しなければならない場合、片手で浸水防止シートを位置決めしながら他方の手で粘着テープを繰り出して貼り付ける作業は、不安定で煩雑な作業内容である。本解決手段においては、浸水防止シートの所定部分に粘着層を形成しておくことによって、浸水防止シートの添着作業における作業上の取扱い対象物を浸水防止シートの巻き回しのみで可能とした。これにより、両面テープを使用したり面ファスナーを使用したりする必要がない。
【００２８】
前記粘着層は、浸水防止シートの所定全幅の一端側の端縁部に浸水防止シートの不特定長さの全長にわたって所定幅のマスキングテープをそのマスキングテープのほぼ半幅部分を浸水防止シートに粘着施工することによって形成することができる。
【００２９】
浸水防止シートに直接に粘着層を形成する場合は、浸水防止シートに一定幅で粘着剤を塗布する専用の工程を要するが、本解決手段は、所定幅の市販のマスキングテープの半幅部分を予め浸水防止シートに粘着施工しておき、残る半幅部分を家屋等の浸水防止領域に対して浸水防止シートを添着するための粘着層とする。マスキングテープは、使用後に剥がすことを予定した粘着テープであるために剥離性に優れ、家屋等の浸水防止領域を汚損することなく極めて簡単に浸水防止シートを取り外すことができる。
【発明の効果】
【００３０】
本発明の家屋等への浸水防止工法は、家屋等の浸水防止領域に対し、浸水の恐れがある高さ以下の部分を浸水防止領域にわたって可撓性の浸水防止シートを巻きつけて包装するようにして浸水防止シートを一周以上添着し、添着した浸水防止シートを水害時において家屋等に侵入しようとする水の水圧によって家屋等の浸水防止領域に密着させることを可能とすることによって、家屋等の浸水防止領域に浸水防止シートを水密に添着する難度の高い作業を必要としないので、家屋等の浸水防止領域に対する浸水防止シートの添着作業の内容を浸水防止シートを粘着テープを使用して浸水防止領域に押し止めするのみの極めて容易なものとするとともに、浸水防止効果を極めて確実なものとし、水圧が失われた後における浸水防止シートの除去作業を極めて容易なものとすることが可能とされている。
【００３１】
本発明の家屋等への浸水防止工法に使用する浸水防止シートは、想定される浸水水位を超える所定全幅を有する不特定長さの可撓性の浸水防止シートの所定全幅の一端側の端縁部に粘着手段又は接着手段を形成したことによって、粘着手段又は接着手段を介して家屋等の浸水防止領域に位置決めして押し付ける簡単な作業によって浸水防止シートの添着作業を短時間内に完了することができる。可撓性の浸水防止シートは、ロール状に巻き取ることができるので、一般家庭に大きな収納負担を要することなく備蓄しておくことができる。
【図面の簡単な説明】
【００３２】
【図１】本発明の浸水防止シートの実施の形態を示す斜視図である。
【図２】本発明の浸水防止シートの他の実施の形態を示す斜視図である。
【図３】木造家屋を対象とする本発明の浸水防止工法の実施の形態を示す正面図である。
【図４】上記実施の形態における木造家屋の基礎部の平面図である。
【図５】上記実施の形態における浸水防止工法の要部の説明図である。
【図６】車庫を対象とする本発明の浸水防止工法の実施の形態を示す斜視図である。
【図７】シャッター構造の家屋の場合に適用した本発明の浸水防止工法の実施の形態を示す斜視図である。
【図８】シャッター構造の家屋の場合に適用した本発明の浸水防止工法の実施の形態を示す斜視図である。
【図９】シャッター構造の家屋の場合に適用した本発明の浸水防止工法の実施の形態を示す斜視図である。
【図１０】本発明の浸水防止工法の他の実施の形態を示す要部の正面図である。
【図１１】本発明の浸水防止工法の他の実施の形態を示す要部の平面図である。
【図１２】本発明の浸水防止シートのさらに他の実施の形態を示す斜視図である。
【図１３】本発明の浸水防止シートのさらに他の実施の形態を示す斜視図である。
【発明を実施するための形態】
【００３３】
以下、本発明の家屋等への浸水防止工法、および、その浸水防止工法に使用する浸水防止シートの実施の形態を図面を引用しながら説明する。
【００３４】
浸水防止工法に使用する浸水防止シート１０は、所定幅と不特定長さを有するように可撓性の樹脂製シート部材１１の一端縁部に沿って感圧性粘着剤による粘着層１２を形成してなる（図１）。この際の樹脂製シート部材１１の所定幅は、通常浸水防止シート１０の所定全幅Ｌに一致する。可撓性の浸水防止シート１０は、収納性および取扱い性を考慮して紙管Ｒにロール状にして巻き取られている。
【００３５】
樹脂製シート部材１１に対する要求事項としては、非透水性であること、物体の表面形状に追随して自由に変形することができる十分な可撓性を有すること、焼却廃棄に際して環境ホルモンのような有害物質を発散しないこと（分子鎖に塩素を含む素材は使用しない）ことが好ましい。また、好ましくは、低コストであることである。このような樹脂材料としては、汎用樹脂材料中のポリエチレン樹脂やビニール製等の合成樹脂製や、これらにコーティングを施したものを推奨することができる。また、透明な浸水防止シート１０による覆った場合でも家屋の状態が確認できるので透明であることが好ましい。
【００３６】
浸水防止シート１０の所定全幅Ｌは、例えば、その地域における過去の水害歴等の地域状況に応じて想定される浸水水位を考慮し、その浸水水位に十分な余裕寸法を加算した寸法に設定される。具体的な浸水水位が想定できない場合、一般的な所定全幅Ｌとしては、９０ｃｍないし１２０ｃｍあれば十分と考えられる。また、家屋等の外周部を取り巻く態様で使用される浸水防止シート１０の長さは、家屋等の周囲長さを超える不特定長さが必要である。家屋等の周囲長さが特定されたとしても、家屋等の浸水防止領域（所定範囲や、家屋等の周りを２周ないし３周する態様）で使用することは差し支えないのであり、浸水防止シート１０の長さは特に限定する必要がない。
【００３７】
上記粘着層１２としては、感圧性粘着剤の一面に剥離紙１３を付与してなる、いわゆる両面粘着テープを使用して形成することができる。両面粘着テープ１２は、樹脂製シート部材１１の幅方向の一端縁部に長手方向に沿って不特定長さの全長にわたって付設される。この際、剥離紙１３は、除去しないで残しておくほうが便利である。なお、粘着層１２は、樹脂製シート部材１１の不特定長さの全長に及んで形成することが必要ではあるが、必ずしも不特定長さの全長にわたって連続している必要はない。つまり粘着層１２は、点線をなすように形成することができる。
【００３８】
粘着層１２は、感圧性粘着剤による所定幅Ｌ２のマスキングテープ１５を使用して形成することもできる（図２）。マスキングテープ１５は、その半幅Ｌ１を樹脂製シート部材１１からはみ出させる態様で樹脂製シート部材１１の一端縁部に粘着施工するものとし、はみ出した半幅Ｌ１部分が、浸水防止シート１０の粘着層１２として機能することができる。この場合いの浸水防止シート１０の所定全幅Ｌは、樹脂製シート部材１１の幅にマスキングテープ１５の半幅Ｌ１を加えた寸法に一致する。ただし、マスキングテープ１５の半幅Ｌ１は、浸水防止シート１０の用途からして、無視して差し支えない幅寸法である。
【００３９】
次に、上記浸水防止シート１０を使用して施工する本発明の家屋等への浸水防止工法は、家屋２０の基礎部分を簡単に取り巻くように施工された浸水防止シート１０を浸水水害の元凶である水Ｗの水圧Ｐによって家屋２０の浸水防止領域に密着させることによって、高度の水密化工事をした場合と同等の浸水防止機能を発揮させることができる（図３）。
【００４０】
図３に例示する家屋２０は、木造２階建てアスファルトルーフィング葺居宅という建物種類に属するわが国における主流を占める住宅である。このような家屋２０における「浸水防止領域」とは、家屋２０の内部環境と外部環境とを区画する部材の総称であり、コンクリート基礎２１、モルタル吹き付け、または浸水防止領域パネル張りの壁面２３、玄関扉２４、固定式または開閉式のガラス戸２６やシャッター構造Ｓａその他の区画部材を含む概念である。
【００４１】
家屋２０のコンクリート基礎２１には、正面視における通風口Ｈ，Ｈのほか、多数の通風口Ｈ…が設けられ（図４）、玄関扉２４の前方にはアプローチ階段２２が設置されている。家屋２０の側面側には壁面２３に沿わせて給湯ユニット２７が付設され、反対側面の壁面２３には、窓枠開口が床面レベルに及ぶ、いわゆる、掃き出し形式のガラス戸２６が建て付けられている（図４、図５）。また、背後側の壁面には、勝手口扉２８が建て付けられている。
【００４２】
家屋２０に対する浸水防止シート１０の施工は、家屋２０のコーナ部分から開始することが好ましい（図５）。なお、施工に先立ち、コンクリート基礎２１に設けられている通風口Ｈを例えば発泡スチロール製の盲板Ｂによって塞いでおくことが好ましい。このような材質の盲板Ｂは、容易に変形するので通風口Ｈより僅かに大寸法に成形したものを通風口Ｈに簡単に取り付けることができる。
【００４３】
浸水防止シート１０は、所定全幅Ｌの方向を縦方向にして使用する。この際、所定全幅Ｌのうちの所定幅Ｌ３を基礎地盤Ｇに沿わせるように水平方向に曲げ、所定全幅Ｌの残余部分を家屋２０の壁面２３に沿って立ち上げる。基礎地盤Ｇに沿わせる所定幅Ｌ３は、基礎地盤Ｇの状況によって判断すればよく、例えば、基礎地盤Ｇが舗装されている場合は狭くてよく、砂利敷均し地盤であるような場合には、広めに設定する。
【００４４】
壁面２３に沿って立ち上げた浸水防止シート１０の上端部は、粘着層１２を利用して壁面２３に貼り付けて固定する。次いで、浸水防止シート１０の上端部の高さ位置を一定に維持しながら紙管Ｒから浸水防止シート１０を繰り出し、家屋２０の浸水防止領域に配する。ここでは、少なくとも一周する。最後に浸水防止シート１０の始端１０Ａと終端１０Ｂを十分にオーバラップさせて浸水防止シート１０をカットする。
【００４５】
ここで、家屋２０に給湯ユニット２７のような付属物が外に存する場合、細工を要することなく給湯ユニット２７を家屋２０の一部とみなして浸水防止シート１０によって取り囲むように施工すれば足りる（図４）。また、基礎地盤Ｇに玄関部のアプローチ階段のような立上り段差がある場合には、その段差分の浸水防止シート１０を切り詰めてもよく、そのまま施工してもよい。また、基礎地盤Ｇに立下り段差がある場合には、部分的に浸水防止シート１０を継ぎ足して施工することもできる。
【００４６】
浸水防止シート１０の施工は、できるだけ家屋２０の浸水防止領域の壁面２３等に密着させるようにすることが好ましいが、基礎地盤Ｇの沿わせる浸水防止シート１０の所定幅Ｌ３が確保された状態において浸水防止シート１０の上端部が想定される浸水水位Ｄを上回っており、かつ、家屋２０の浸水防止領域に浸水防止シート１０が少なくとも一周施工されている限り、厳密な密着作業は不要である。また、そのような完全な作業は困難でもある。本発明の浸水防止工法は、簡単な添着状態の浸水防止シート１０が水Ｗの水圧Ｐを受けて家屋２０に密着することによって完成する（図１）。また、工場やコンビニエンスストアなどでは、所定高さのブロックＳｂの上に壁やガラス戸が配されて、浸水する場所は入り口や扉口に限られる場合ある。このような構造の家屋２０の場合は、上記入り口や扉口だけを上記施工をすれば足りることとなる。
【００４７】
浸水防止シート１０の上記のような施工要領は汎用的であり、家屋等が車庫３０である場合にも、そのまま適用することが可能である（図６）。すなわち、施工対象物が異なっても施工内容が大きく異なることがないことが特徴である。上記車庫にはシャターＳａの扉が設けられており、浸水防止シート１０の上端部の高さ位置を一定に維持しながら少なくとも一周して、浸水防止シート１０の始端１０Ａと終端１０Ｂを十分にオーバラップさせる。ここで、該シャッターＳａと左右の壁Ｓｋの一方とを上記施工方法で施工したり、シャッターＳａと左右の壁Ｓｂとの間の隙間部分Ｓｓが最も浸水する可能性が高いために、この隙間部分Ｓｓは二重構造にすると良い。また、隙間部分Ｓｓに配されるスペーサＳｐを介在させた後に浸水防止シート１０を配したり、又、隙間部分Ｓｓに先に浸水防止シート１０を配してから、スペーサＳｐを隙間部分Ｓｓに押し込むようにして、浸水防止シート１０を留めることも可能である（図９）。また、シャッターＳａの凹凸部Ｓｃに嵌合するスペーサを設けても良い。
そして、シャッターＳａとその左右の壁Ｓｋに及ぶように施工したものが図７である。図７では、上記施工方法とは異なり、浸水防止シート１０の上端縁部に粘着手段又は接着手段１２を設けていないものであり、左右の壁Ｓｋを覆う部分にシャッターＳａに沿って配する浸水防止シートよりも長く配している。左右の壁Ｓｋの下方にはブロックＳｂなどの突出した部分がある場合は、浸水防止シート１０の前後端１０Ａ，１０Ｂをこれらに及ぶようにしたり、さらに重りを載せることにより、浸水防止シート１０の上端縁部に粘着手段又は接着手段１２を設けていないものであっても、シャッターＳａに倣って浸水防止シート１０を添着することができる。
すなわち、ガレージなどの家屋のシャッターＳａを閉じるために引き下げ、該引き下げたシャッターＳａ下方側から地面にかかる位置に沿わせた状態に浸水防止シート１０を供給するときに、左右の壁Ｓｋの下方にはブロックＳｂなどの突出した部分にも十分に及ぶようにして、雨水などの浸水を利用してシャッターＳａに倣って浸水防止シート１０を添着する。このように配置するだけで、雨水などの浸水により浸水防止シートをシャッターＳａに無理なく沿わせることができる。なお、前記シャッターＳａを閉じた下方側端部に浸水防止シート１０を介して配される下方側の押さえ部材（固定手段）Ｚを配することが好ましい（図７）。また、粘着手段又は接着手段１２の箇所には着色が施されており、浸水防止シート１０が透明な場合でも施工位置が視覚的に認識できるようにしている。
ここで、粘着性テープ、両面テープや面ファスナーなどの粘着手段又は接着手段１２を使用する場合は、図８と図９に示すように、浸水防止シート１０の幅方向の上端側に貼着させてからシャッターＳａに貼着させたり、又、ブロックＳｂに先に貼着させてから浸水防止シート１０の上方に貼着させたり、柱Ｓｆに巻き付けるように貼着してから浸水防止シート１０の上方に貼着させたりできる。また、浸水防止シート１０の上端縁部（粘着層１２）をシャッターＳａの凹凸部Ｓｃに亘るように添着すると、浸水防止シート１０とシャッターＳａとの隙間から水が入り込む事態を防止するとともに、凹凸部Ｓｃを利用して貼着が確実になる。浸水防止シート１０の上端縁部（粘着層１２）には、着色部分１０ｃを施すことが好ましい。この着色部分１０ｃは、粘着手段又は接着手段１２の位置と同じ位置にすると作業性が良くなるが、着色部分１０ｃは粘着手段又は接着手段１２よりも、広い幅にしたり、短い幅にすることもできる。
このようにシャッターＳａの扉を浸水防止シート１０で覆うようにしてから、該シャッターＳａを含む家屋２０の外周に浸水防止シートを巻き回すようにすることで、家屋全体の浸水を防止できる。上記浸水防止シート１０としては、粘着手段又は接着手段１２が幅方向の上端のみならず、所定箇所に設けられることで、所定箇所で留めたり、又、家屋の全周囲を巻き回した後に重ね合わせ部を留めたりすることができる。なお、本発明は、一般重量シャッター、外壁用防火シャッター、グリルシャッター（全体がグリル（格子）となっており、閉鎖時も内部を見ることができる。）、パネルシャッター（横引きパネルシャッターを含む。）等に適用可能である。
【００４８】
また、浸水防止シート１０の施工された家屋２０に出入りする必要がある場合においては、開閉可能なガラス戸２６を利用して出入りすることができる。しかし、開閉可能なガラス戸２６があっても、必ずしも人の出入りに利用できる状況にあるとは限らない。本発明の浸水防止工法は、このような場合の対応策として、家屋２０の玄関扉２４として、想定される浸水水位Ｄを超える高さ位置に玄関扉２４が開かなくなった際は、人の出入りを可能とする緊急時開口部２Ｅを備える玄関扉２４を事前工事として設置しておく方法を採ることができる（図１３）。
【００４９】
本発明の浸水防止工法に関する限り、玄関扉２４における緊急時開口部２Ｅの開閉方式は不問である。つまり、緊急時開口部２Ｅは、取外し方式であってもよく、スライド開閉方式であってもよく、煽り動作による開閉方式、その他の開閉方式であってもよい。緊急時開口部２Ｅを備える玄関扉２４の事前準備によって、浸水防止シート１０を施工した家屋２０に玄関口から玄関扉２４そのものを開閉することなく簡単に出入りすることができる。
【００５０】
浸水防止シート１０が施工された家屋２０への人の出入りを確保する他の方法としては、玄関保護囲い４０を利用する方法を採用することもできる（図１０、図１１）。
【００５１】
玄関保護囲い４０は、家屋２０の玄関口開口の左右位置に設置する一対の側壁４１，４１と、側壁４１，４１の先端部の内側面に添え付ける門柱形のガイドポスト４２，４２と、ガイドポスト４２，４２に形成した案内溝に嵌め込む任意枚数の堰板４３とから、例えば、門扉のような外観を有するように組み立てることができる。側壁４１、ガイドポスト４２、堰板４３の材質は特に限定されないが、大きな開口部がなく、家屋２０内に侵入しようとする水の水圧に耐える強度を有することが要件となる。堰板嵌込み方式は、小規模河川の水位調節用の水門に応用される遮断方式であり、使用する堰板４２の枚数によって、上端部の高さを加減することができる。
【００５２】
上記のような玄関保護囲い４０は、平時には堰板４２を使用せずに専ら玄関部を風雨から保護する目的で使用することができる。堰板４２は、大雨洪水警報等に際して、人が通行することができる高さの範囲で必要枚数を左右のガイドポスト４２，４２間に嵌め込んで使用する。浸水防止シート１０は、玄関保護囲い４０を家屋２０の一部と見なし、その外側を取り囲むように施工する。本方法においては、玄関扉２４に対しては浸水防止シート１０が施工されないので、屋外の浸水水位が玄関扉２４に及ぶレベルに上昇しても玄関扉２４の開閉操作には支障が及ばない。したがって、家屋２０内への水の侵入を阻止しつつ、本発明の浸水防止工法を施工した家屋２０への自由な出入りが確保される。
【００５３】
ここで、家屋２０に対する本発明の浸水防止工法の施工後、押し寄せる濁流によって浸水防止シート１０の使用上における下端縁部分、つまり基礎地盤Ｇに沿わせた部分が巻き上げられたり、水の浮力によって浮上し、浸水防止効果が阻害される懸念がある場合には、このような事態を予め回避するために、浸水防止シート１０の下端縁に金属チェーン１６や重錘１７…等の比重の大きい部材（少なくとも水よりも比重の大きい部材）を付加することができる（図１２）。また、同じ目的を達成するために浸水防止シート１０の下端縁に麻布１８やタオル布地等の吸水部材を付加することもできる（図１３）。
【００５４】
浸水防止シート１０の下方端側に金属チェーン１６等を取り付ける際には、局部的な応力集中による下方端側の部分的断裂を避けるため取付け部分に鳩目１１Ｅ…を打ち、鳩目１１Ｅを介して取り付けることが好ましい。また、麻布１８やタオル布地等の吸水部材を付加するには、硬化によって下方端側部材の可撓性を阻害するおそれがある接着手段によるよりも、縫製手段を推奨する。樹脂製シートの下端縁に付加された吸水部材は、水を吸って実質的な重錘として機能することができるとともに、破れ易い下方端側の下端縁をその可撓性を阻害することなく効果的に補強することができる補給部材としても効果的に機能するとともに、筒状に巻き回して販売等することもできる。
【符号の説明】
【００５５】
Ｄ            浸水水位、
Ｌ            所定全幅、
Ｌ３          所定幅、
Ｇ            基礎地盤、
Ｐ            水圧、
Ｗ            水（水位）、
Ｂ            盲板（嵌合部材、固定手段）、
Ｓａ          シャッター、Ｓｃ    凹凸、Ｓｂ  ブロック、Ｓｋ  家屋の壁、
Ｓｐ          スペーサ（固定手段）
Ｚ            押さえ部材（固定手段）、
１０          浸水防止シート、
１２          粘着手段又は接着手段（粘着層、粘着テープ）、
１５          マスキングテープ、
２０          家屋（ガレージ、車庫）、
２４          玄関扉、
２Ｅ          緊急時開口部、
４０          玄関保護囲い、
４１          側壁、
４２          堰板
【図１】
2013151856.tif 000003
【図２】
2013151856.tif 000004
【図３】
2013151856.tif 000005
【図４】
2013151856.tif 000006
【図５】
2013151856.tif 000007
【図６】
2013151856.tif 000008
【図７】
2013151856.tif 000009
【図８】
2013151856.tif 000010
【図９】
2013151856.tif 000011
【図１０】
2013151856.tif 000012
【図１１】
2013151856.tif 000013
【図１２】
2013151856.tif 000014
【図１３】
2013151856.tif 000015